(57)【要約】本発明は、オンライン向精神物質検査システムに関する。システムは、向精神物質検査を行う分散された向精神物質検査ユニットを含む。向精神物質検査の結果を受信するサーバを備える。結果を記憶するデータベースを備える。記憶された結果を、好ましくは、グラフのダッシュボードに表示して、様々な検査ユニットからの大抵は多数の検査の迅速で直感的な評価を容易にするディスプレイを備える。有利なことに、審査者は、検査が行われるとすぐに、複数の検査ユニットから記憶された結果をライブで見直してよく、それによって、迅速なリスクアセスメントと是正措置を取るのを可能にする。例えば、検査不合格の影響は、一定のサイトではより頻繁になる場合があり、そのサイトの原因を調査する必要性を促す。【選択図】図１
2018531475.tif 000002
【特許請求の範囲】
【請求項１】
向精神物質検査を行う分散された向精神物質検査ユニットと、
前記向精神物質検査の結果を受信するサーバと、
前記結果を記憶するデータベースと、      
記憶された前記結果を表示するディスプレイと、
を含む、オンライン向精神物質検査システム。
【請求項２】
審査者は、前記検査が行われるとすぐに、複数の検査ユニットから記憶された結果をライブで見直すことができ、それによって、迅速なリスクアセスメントと是正措置を取るのを可能にする、請求項１に記載の検査システム。
【請求項３】
前記記憶された結果は、次に、前記記憶された結果に関連する１つまたは複数のグラフを含む、ダッシュボードにまとめて表示され、前記グラフは、様々な検査ユニットから大抵は多数の検査の迅速で直感的な評価を容易にする、請求項１に記載の検査システム。
【請求項４】
前記ダッシュボードは、表示された検査データを掘り下げて、特定の検査結果を取得することを可能にする、請求項３に記載の検査システム。
【請求項５】
前記グラフは、アルコール検査または薬物検査に従って配置される、請求項３に記載の検査システム。
【請求項６】
前記ダッシュボードは、フィルタセレクタを含み、前記フィルタセレクタは、選択されて基礎的な記憶された検査データをフィルタリングすることが可能であり、前記グラフは、それに従って、修正される、請求項３に記載の検査システム。
【請求項７】
前記システムは、前記検査ユニットに対する診断を行う、請求項１に記載の検査システム。
【請求項８】
ダッシュボードは、前記診断に基づいて、任意のアラートを表示する、請求項７に記載の検査システム。
【請求項９】
前記表示されたアラートは、警告アラートまたはエラーアラートを含む、請求項８に記載の検査システム。
【請求項１０】
前記アラートは、さらなる詳細を生成するように選択可能である、請求項８に記載の検査システム。
【請求項１１】
前記グラフの１つまたは複数は、異なるパラメータに従ってグループ化される、請求項３に記載の検査システム。
【請求項１２】
前記グラフは、項目別検査のグループを生成するように選択可能である、請求項１１に記載の検査システム。
【請求項１３】
前記グループは、パラメータを用いてフィルタリングまたはソートできる、請求項１２に記載の検査システム。
【請求項１４】
前記グループの各検査は、関連する検査結果を表示するように選択できる、請求項１２に記載の検査システム。
【請求項１５】
各検査結果は、アルコールの結果、または、薬物スクリーニング及び毒性結果である、請求項１４に記載の検査システム。
【請求項１６】
企業、企業の部署、サイト、スタッフ詳細、ユーザ詳細、システム設定、及び、検査ユニットのいずれか１つまたは複数に関連するパラメータを修正するように構成された、請求項１に記載の検査システム。
【請求項１７】
前記検査ユニットの１つまたは複数の操作構成設定を全体的にまたは個々に修正するように構成された、請求項１に記載の検査システム。
【請求項１８】
サンプルの収集と、検査の承認を管理するように構成された、請求項１に記載の検査システム。
【請求項１９】
検査サンプルを提供するサンプルリポジトリを含む、請求項１８に記載の検査システム。
【請求項２０】
別のサーバとサンプルステータスを同期するように構成された、請求項１に記載の検査システム。
【請求項２１】
ダッシュボードまたは検査データを含むレポートを生成するように構成された、請求項１に記載の検査システム。
【請求項２２】
ＳＭＳコード、及び／または、ユーザ名とパスワードを用いて、ユーザを検証する、請求項１に記載の検査システム。
【請求項２３】
前記検査ユニットは、壁取り付け式ユニットまたはハンドヘルドユニットである、請求項１に記載の検査システム。
【請求項２４】
分散された向精神物質検査ユニットを用いて、向精神物質検査を行うことと、
前記向精神物質検査の結果を受信することと、
受信された前記結果を記憶することと、
記憶された前記結果を表示することと、
を含む、オンライン向精神物質検査方法。
【請求項２５】
オンライン向精神物質検査ツールであって、向精神物質検査の記憶された結果を表示するディスプレイを含み、前記検査は、分散された向精神物質検査ユニットによって行われる、前記オンライン向精神物質検査ツール。
【発明の詳細な説明】
【技術分野】
【０００１】
本発明は、一般的に、アルコールまたは薬物等の向精神物質の存在の検査に使用される向精神物質検査システムに関する。
【背景技術】
【０００２】
本明細書におけるいかなる先行技術への言及も、先行技術が、周知の一般的知識の一部をなすということの確認または何らかの形の示唆と捉えられず、また捉えてはならない。
【０００３】
向精神物質は、人間の能力を損ない得る。雇用主は、職場における最善の結果と順守とを保証するという観点で、アルコールまたは薬物等の向精神物質に関して従業員を検査できる。
【０００４】
職場の中には、壁取り付け式アルコール呼気検査機を備えているものがある。従業員は、業務開始前に検査に合格することを要求されることがある。他の職場は、ハンドヘルド呼気検査ユニットを用いて、従業員のランダムな呼気検査を行う。このようなテストは、個人に焦点を当てており、個人が、許容できない血中アルコール濃度を有するか否かを決定するのは容易である。しかしながら、個々の不合格は文書による記録が不十分なことが多く、個々の不合格から企業が順守により大きい問題を有するか否かを決定するのが難しいことが多いことに出願人は気付いた。
【０００５】
好ましい実施形態は、全社的な向精神物質検査を評価する改良されたシステムを提供する。
【発明の概要】
【０００６】
本発明の一態様によると、オンライン向精神物質検査システムを提供する。システムは、
向精神物質検査を行う分散した向精神物質検査ユニットと、
向精神物質検査の結果を受信するサーバと、
結果を記憶するデータベースと、
記憶された結果を表示するディスプレイと、
を含む。
【０００７】
有利なことに、審査者は、検査が行われるとすぐに、複数の実体から記憶された結果をライブで見直してよく、それによって、迅速なリスクアセスメントと是正措置を取ることが可能になる。例えば、検査不合格の影響が、ある一定のサイトで、より頻繁になる場合があり、そのサイトでの原因を調査する必要性を促す。
【０００８】
好ましくは、記憶された結果は、次に、記憶された結果に関する１つまたは複数のグラフを含むダッシュボードにまとめて表示される。有利なことに、グラフは、様々な実体（例えば、企業、部署、サイト等）からの、大抵は多数の検査の迅速で直感的な評価を容易にする。ダッシュボードは、表示された検査データの掘り下げを可能にして特定の検査結果を取得してよい。
【０００９】
グラフは、アルコール検査または薬物検査に従って配置されてよい。ダッシュボードは、フィルタセレクタを含んでよく、フィルタセレクタは、基礎的な記憶された検査データをフィルタリングするように選択でき、それに従って、グラフは修正される。
【００１０】
システムは、検査ユニットに対して診断を行ってよい。ダッシュボードは、診断に基づいて、任意のアラートを表示してよい。表示されたアラートは、警告アラートまたはエラーアラートを含んでよい。アラートは、さらなる詳細を生成するように選択可能であってよい。
【００１１】
グラフの1つまたは複数は、異なるパラメータに従ってグループ化されてよい。グラフは、項目別検査のグループを生成するように選択可能であってよい。グループは、パラメータを用いてフィルタリングまたはソートされてよい。グループの各検査は、関連する検査結果を表示するように選択されてよい。各検査結果は、アルコールの結果、または、薬物スクリーニング及び毒性結果であってよい。
【００１２】
システムは、企業、企業の部署、サイト、スタッフ詳細、ユーザ詳細、システム設定、及び、検査ユニットのうちのいずれか１つまたは複数に関するパラメータを修正するように構成されてよい。システムは、検査ユニットの１つまたは複数の操作構成設定を全体的にまたは個々に修正するように構成されてよい。
【００１３】
システムは、サンプルの収集と検査の承認を管理するように構成されてよい。システムは、検査サンプルを提供するサンプルリポジトリを含んでよい。システムは、別のサーバとサンプルステータスを同期するように構成されてよい。システムは、ダッシュボードまたは検査データを含むリポートを生成するように構成されてよい。
【００１４】
ダッシュボードまたは任意の他の検査データにアクセスする前に、システムは、ＳＭＳコードを用いてユーザを検証してよい。検証は、ユーザ名及びパスワードを用いることも伴ってよい。
【００１５】
検査ユニットは、壁取り付け式ユニットまたはハンドヘルドユニットであってよい。
【００１６】
本発明の別の態様に従って、オンライン向精神物質検査方法を提供する。方法は、
分散された向精神物質検査ユニットを用いて向精神物質検査を行うことと、
向精神物質検査の結果を受信することと、
受信した結果を記憶することと、
記憶された結果を表示することと、
を含む。
【００１７】
本発明の別の態様に従って、オンライン向精神物質検査ツールを提供する。ツールは、向精神物質検査の記憶された結果を表示するディスプレイを含み、検査は、分散された向精神物質検査ユニットによって行われる。
【００１８】
本明細書に記載の特徴はいずれも、発明の範囲内で、本明細書に記載の他の特徴のいずれか１つまたは複数と任意の組み合わせで組み合わせることができる。
【００１９】
発明の好ましい特徴、実施形態、及び、変形形態は、以下の詳細な説明から理解され得る。詳細な説明は、当業者が発明を実施するための十分な情報を提供する。詳細な説明は、上記発明の概要の範囲をいかなる点でも限定するとみなしてはならない。詳細な説明は、複数の図面を参照する。
【図面の簡単な説明】
【００２０】
【図１】本発明の実施形態による、オンライン向精神物質検査システムのブロック図である。
【図２】図１のシステムのグラフィカルダッシュボードの概略図である。
【図３】図２のダッシュボードのグラフを選択する時に生成される項目別検査の拡張リストである。
【図４】図３の検査のリストで項目の１つを選択した時、表示される検査レポートの例である。
【発明を実施するための形態】
【００２１】
好ましい実施形態の詳細な説明
本発明の実施形態によると、図１に示すオンライン向精神物質検査システム１００が提供される。システム１００は、従業員１０４に対して向精神物質検査を行う向精神物質検査ユニット１０２ａ、１０２ｂを含む。検査ユニット１０２は、典型的には、壁取り付け式ユニット１０２ａまたはハンドヘルドユニット１０２ｂであり、多くの企業及びサイトに分散される。
【００２２】
管理サーバ１０６は、向精神物質検査の結果を受信し、データベース１０８に結果を記憶する。システム１００は、電子ディスプレイを有する企業コンピュータ１１０をさらに含み、企業管理者１１２が表示された記憶済みの結果を見直すのを可能にする。実際には、異なる企業の多くの企業コンピュータ１１０が備えられて、企業の従業員の検査結果を見直してよい。電子検査ユニット１０２、管理サーバ１０６、及び、企業コンピュータ１１０は全て、インターネット１１４を介して双方向通信で結合される。
【００２３】
有利なことに、管理者１１２（すなわち、審査者）は、検査が行われるとすぐに、複数の実体から記憶された結果をライブで見直すことができ、これによって、企業は、迅速な是正措置を取ることができる。例えば、検査の不合格の影響が、ある一定の職場でより頻繁な場合があり、その職場での原因を調査する必要性を促す。
【００２４】
図２を参照すると、管理コンピュータ１１０は、集合的な記憶された結果のグラフ２０２ａ、２０２ｂ、２０２ｃを表示するダッシュボード２００を含む。有利なことに、グラフ２０２は、様々な実体から（例えば、企業、部署、サイト等）の大抵は多数である検査の迅速で直感的な評価を容易にする。管理者１１２は、記憶された検査データを、検査数、サイトの場所、時刻、結果、及び、従業員１０４毎に容易に見直し、分析できる。ダッシュボード２００は、表示された検査データを深堀して、特定の検査結果を取得するのを可能にする。
【００２５】
表示されたグラフ２０２は、ダッシュボード２００の一番上に、アルコール検査に従って配置され、類似薬物検査が下に表示される（図示せず）。ダッシュボード２００は、企業、検査ユニット（製品）、及び、データ範囲フィルタセレクタ２０４ａ、２０４ｂ、２０４ｃを含み、データ範囲フィルタセレクタ２０４ａ、２０４ｂ、２０４ｃを使用して、基礎的な記憶された検査データをフィルタリングでき、それに従って、グラフ２０２ａ、２０２ｂ、２０２ｃは、自動的に修正される。
【００２６】
システム１００は、検査ユニット１０２に対して診断を行う。ダッシュボード２００は、診断に基づいて、いずれかのアラート２０６を表示する。表示されたアラート２０６は、ユニット１０２が検査不合格に近いことを示す警告アラート２０６ａ、または、ユニット１０２が検査に不合格であったことを示すエラーアラート２０６ｂを含む。いずれかのアラート２０６を選択することによって、項目別アラートの拡張リストが生成され、次に、項目別アラートを選択して、詳細な個々のアラートレポートを提供できる。
【００２７】
表示されたグラフ２０２は、経時的な検査数２０２ａ、検査が行われた時刻によるテスト数２０２ｂ、及び、経時的な例外（すなわち、不合格）の検査数２０２ｃを含む。グラフ２０２ａ、２０２ｃは、（色帯で）企業毎に、または、フィルタセレクタ２０４ａが特定の企業に設定されると、検査の種類毎に縦棒で垂直方向にグループ化される。グラフ２０２を選択すると、例えば、図３に示される項目別検査３０２の拡張リスト３００が生成される。リスト３００は、前のフィルタ２０４ａ、２０４ｂ、２０４ｃと、サイトフィルタ３０４ａ及び結果フィルタ３０４ｂとを用いてフィルタリングできる。リスト３００は、見出し３０６を選択することによってもソートできる。
【００２８】
結果として生じるリスト３００の各検査３０２を選択して、例えば、図４に示す個々の詳細な検査結果４００を提供できる。各検査結果４００は、アルコールの結果、または、薬物スクリーニングと毒性の結果であってよい。データベース１０８に記憶された各検査は、従業員１０４、企業、部署、サイト、及び、検査ユニット１０２に関連付けられる。
【００２９】
図２に戻ると、管理者１１２は、表示されたメニュー項目２０８をトップメニュー２１０から選択して、システムパラメータを構成または表示できる。メニュー項目２０８を選択して、企業及び関連部署、部署及び関連サイト、システム設定、スタッフ１０４もしくはユーザ１１２の詳細、または、検査ユニット１０２（すなわち、製品）に関連するパラメータを修正できる。例えば、検査ユニット１０２の１つまたは複数の操作構成設定は、全体的にまたは個々に「製品」メニュー項目を用いて修正できる。トップメニュー２１０の「ＡＯＤ」メニュー項目２０８を使用して、モバイル機器または第三者のサプライヤもしくは実験室（例えば、Ｈａｎｓａｗｏｒｌｄ)を用いて、サンプルの収集と薬物検査の承認を管理できる。システム１００は、薬物検査サンプルを提供するサンプルリポジトリを含み、実験室サーバ（図示せず）とサンプルステータスを同期するように構成される。トップメニュー２１０の「レポート」メニュー項目２０８を使用して、ダッシュボード２００、または、例えば、図３及び図４に示す検査データを含むレポートを生成できる。
【００３０】
データベース１０８に記憶された感受性テストのセキュリティを維持しなければならない。従って、ダッシュボード２００または任意の他の検査データにアクセスする前に、管理者１１２は、従来のログイン（ユーザ名及びパスワード）に加えて、ＳＭＳコードを用いて検証される必要がある。ログインは、管理者１１２が、ユーザ名及びパスワードをコンピュータ１１０に入力することと、有効なユーザ名及びパスワードの入力に応答して、携帯電話のＳＭＳコードを受信することと、次に、ＳＭＳコードをコンピュータ１１０に入力して、管理者１１２を検証することとを伴う。
【００３１】
本発明の範囲を逸脱することなく、多くの実施形態と変形形態を作成できることを、当業者は理解されよう。
【００３２】
一実施形態においては、サーバ１０６及びコンピュータ１１０は、同じ計算装置を含んでよい。
【００３３】
規則を順守して、構造的特徴または方法的特徴に多かれ少なかれ特有の言語で発明を記載した。本明細書に記載の手段は、発明を実施する好ましい形態を含むので、発明は、図に示すまたは記載する特定の特徴に限定されないことは理解されたい。
【００３４】
本明細書を通して「一実施形態」または「実施形態」という言及は、実施形態に関連して記載する特定の特徴、構造、または、特性は、本発明の少なくとも１つの実施形態に含まれるということを意味する。従って、本明細書の様々な箇所の「一実施形態においては」または「実施形態においては」という句の出現は、必ずしも全て同じ実施形態を指していない。さらに、特定の特徴、構造、または、特性は、１つまたは複数の組み合わせで、任意の適切な方法で組み合わされてよい。
【図１】
2018531475.tif 000003
【図２】
2018531475.tif 000004
【図３】
2018531475.tif 000005
【図４】
2018531475.tif 000006
【国際調査報告】
2018531475.tif 000007
2018531475.tif 000008
2018531475.tif 000009
2018531475.tif 000010